(57)【要約】      （修正有）【課題】汎用性がありかつ待機時の消費電力の低減が可能である電力変換供給コネクタ装置及び電力変換装置を提供する。【解決手段】ＡＣアダプタ１００において、動作指令に応じて入力電圧に電力変換を施して得られる供給電圧を出力する電力変換回路と、負荷装置が有する対向コネクタに差し込み接続されて電力変換回路と負荷装置との間で供給電圧を中継するＤＣプラグ１０と、ＤＣプラグの当該差し込み接続の状態に応じて動作指令を発する制御部２６と、を含む。プラグコネクタは、供給電圧の供給のための正負一対の主端子１６Ｂ、１４Ｂ及び主端子のうちの１の端子と隣り合って設けられて、主端子から電気的に分離された少なくとも１つの補助端子１７Ｂを有する。制御部は、１の端子及び補助端子のいずれもが、対向コネクタが有する端子に接触した場合に、動作指令を発する。【選択図】図４
2020137248.tif 000002
【特許請求の範囲】
【請求項１】
動作指令に応じて入力電圧に電力変換を施して得られる供給電圧を出力する電力変換部と、負荷装置が有する対向コネクタに差し込み接続されて前記電力変換部と前記負荷装置との間で前記供給電圧を中継するプラグコネクタと、前記プラグコネクタの当該差し込み接続の状態に応じて前記動作指令を発する制御部と、を含み、
前記プラグコネクタは、前記供給電圧の供給のための正負一対の主端子及び前記主端子のうちの１の端子と隣り合って設けられて前記主端子から電気的に分離された少なくとも１つの補助端子を有し、
前記制御部は、前記１の端子及び前記補助端子のいずれもが、前記対向コネクタが有する端子に接触した場合に、前記動作指令を発することを特徴とする電力変換供給コネクタ装置。
【請求項２】
前記制御部は、前記１の端子と前記補助端子とが同一電位にあるか否かを検出し、前記１の端子と前記補助端子とが同一電位にある場合に、前記動作指令を発することを特徴とする請求項１に記載の電力変換供給コネクタ装置。
【請求項３】
前記プラグコネクタは、円筒形状の端子担持部と、
前記端子担持部の内側面又は外側面に設けられた前記１の端子と、を有し、
前記補助端子は、前記内側面又は外側面のうち前記１の端子と同一側面内に設けられていることを特徴とする請求項１又は２に記載の電力変換供給コネクタ装置。
【請求項４】
前記１の端子及び前記補助端子のうちのいずれか一方の端子の端部のうち、前記プラグコネクタの前記対向コネクタに対向する先端部側の端部は、他方の端子の前記先端部側の端部からオフセットされて設けられていることを特徴とする請求項３に記載の電力変換供給コネクタ装置。
【請求項５】
前記制御部は、前記補助端子を介して前記供給電圧を監視するモニタ部を有し、前記モニタ部による監視結果に応じて、前記供給電圧を前記電力変換部に調整させるための調整指令を前記電力変換部に送出することを特徴とする請求項１乃至４のいずれか１つに記載の電力変換供給コネクタ装置。
【請求項６】
前記制御部は、前記１の端子及び前記補助端子のいずれもが、前記対向コネクタが有する端子に接触した場合に解除信号を送出する解除回路と、
前記解除信号を受信した場合に停止信号の送出を停止する停止回路と、を含み、
前記停止回路が前記停止信号を送出した場合に前記動作指令を停止することを特徴とする電力変換供給コネクタ装置。
【請求項７】
動作指令に応じて入力電圧に電力変換を施して得られる供給電圧を出力する電力変換部を含み、負荷装置が有する対向コネクタに差し込み接続されて前記電力変換部と前記負荷装置との間で前記供給電圧を中継するプラグコネクタに接続された電力変換装置であって、
前記プラグコネクタの当該差し込み接続の状態に応じて前記動作指令を発する制御部を有し、
前記プラグコネクタは、前記供給電圧の供給のための正負一対の主端子及び前記主端子のうちの１の端子と隣り合って設けられて前記主端子から電気的に分離された少なくとも１つの補助端子を有し、
前記制御部は、前記１の端子及び前記補助端子のいずれもが、前記対向コネクタが有する端子に接触した場合に、前記動作指令を発することを特徴とする電力変換装置。
【発明の詳細な説明】
【技術分野】
【０００１】
本発明は、電力変換装置及び電力変換供給コネクタ装置に関し、特に、いわゆるパーソナルコンピュータなどの電気機器に商用電源などの配電電力を交直変換や電圧変換などの電力変換を施しつつケーブルを介して中継する電力変換装置及び電力変換供給コネクタ装置に関する。
【背景技術】
【０００２】
電力変換装置に関して、例えば、コネクタ付きケーブルを具備するＡＣコンバータ等の電力変換装置が知られている。かかるＡＣコンバータにおいては、得られる電力変換後の出力をＡＣアダプタのプラグコネクタを介して負荷に供給するものが普及している。かかるＡＣコンバータ自体も、電力を消費する。
【０００３】
例えば、スイッチング方式のＡＣアダプタ（ＡＣ／ＤＣコンバータ）に関して、当該ＡＣアダプタが機器に接続されていない無負荷時においても、スイッチング動作が継続され、消費電力が生じる。従って、無負荷時における消費電力の節約が望まれている。
【０００４】
例えば、特許文献１には、スイッチングトランスを用いたＡＣアダプタと、該ＡＣアダプタの負荷側装置とから成る系において、装置側には電池と該電池電圧を出力する端子を設け、アダプタ側には、該電池電圧を出力する端子に対向する検出端子と、検出端子からの信号をスイッチングトランスの１次側にフィードバックする伝達手段と、該伝達されたフィードバック信号に基づき、スイッチング発振動作の起動及び停止を制御するスイッチ手段を設けた消費電力低減回路が開示されている。
【先行技術文献】
【特許文献】
【０００５】
【特許文献１】特開２００３−８８１１１号公報
【発明の概要】
【発明が解決しようとする課題】
【０００６】
しかし、上記のような消費電力低減回路は、負荷側装置に設けられた専用回路を含むため、当該消費電力低減回路におけるＡＣアダプタは、対応する専用機器に接続する必要があり、汎用性に乏しいことが課題の１つとなっていた。
【０００７】
本発明は、上述の点に鑑みてなされたものであり、汎用性がありかつ待機時の消費電力の低減が可能である電力変換供給コネクタ装置及び電力変換装置を提供することを目的とする。
【課題を解決するための手段】
【０００８】
本発明の電力変換供給コネクタ装置は、動作指令に応じて入力電圧に電力変換を施して得られる供給電圧を出力する電力変換部と、負荷装置が有する対向コネクタに差し込み接続されて前記電力変換部と前記負荷装置との間で前記供給電圧を中継するプラグコネクタと、前記プラグコネクタの当該差し込み接続の状態に応じて前記動作指令を発する制御部と、を含み、前記プラグコネクタは、前記供給電圧の供給のための正負一対の主端子及び前記主端子のうちの１の端子と隣り合って設けられて前記主端子から電気的に分離された少なくとも１つの補助端子を有し、前記制御部は、前記１の端子及び前記補助端子のいずれもが、前記対向コネクタが有する端子に接触した場合に、前記動作指令を発することを特徴とする。
【０００９】
また、本発明の電力変換装置は、動作指令に応じて入力電圧に電力変換を施して得られる供給電圧を出力する電力変換部を含み、負荷装置が有する対向コネクタに差し込み接続されて前記電力変換部と前記負荷装置との間で前記供給電圧を中継するプラグコネクタに接続された電力変換装置であって、前記プラグコネクタの当該差し込み接続の状態に応じて前記動作指令を発する制御部を有し、前記プラグコネクタは、前記供給電圧の供給のための正負一対の主端子及び前記主端子のうちの１の端子と隣り合って設けられて前記主端子から電気的に分離された少なくとも１つの補助端子を有し、前記制御部は、前記１の端子及び前記補助端子のいずれもが、前記対向コネクタが有する端子に接触した場合に、前記動作指令を発することを特徴とする。
【図面の簡単な説明】
【００１０】
【図１】実施例のＡＣアダプタの構成の概要を示す構成図である。
【図２】実施例のＡＣアダプタのＤＣプラグの上面図である。
【図３】図２のＤＣプラグの断面図である。
【図４】実施例のＡＣアダプタ本体の内部構成を示すブロック図である。
【図５】実施例におけるＤＣプラグ及びＤＣジャックの断面図である。
【図６】実施例におけるＤＣプラグ及びＤＣジャックの断面図である。
【図７】実施例の解除回路の回路構成の一例を示す回路図である。
【発明を実施するための形態】
【００１１】
以下に本発明の実施例について詳細に説明する。なお、以下の説明及び添付図面においては、実質的に同一又は等価な部分には同一の参照符号を付している。
【実施例】
【００１２】
本発明の実施例の電力変換供給コネクタ装置としてのＡＣアダプタ１００について、添付の図面を参照しつつ説明する。
【００１３】
図１は、ＡＣアダプタ１００の概略の構成を示す構成図である。ＡＣアダプタ１００は、ＤＣプラグ１０、ＡＣアダプタ本体２０及び入力部３０がこの順にケーブルＣＡによって接続されて構成されている。
【００１４】
プラグコネクタとしてのＤＣプラグ１０は、例えば家庭用ＯＡ機器等の負荷装置が有するＤＣジャック等の対向コネクタに差し込み接続可能に構成された接続部材である。ＤＣプラグ１０は、負荷装置の対向コネクタに差し込み接続されて、ＡＣアダプタ本体２０と負荷装置との間で電力の供給を中継する。
【００１５】
本実施例において、ＤＣプラグ１０は、ＪＥＩＴＡ（電子情報技術産業協会）の規格であるＲＣ―５３２０に準拠したＤＣプラグである場合について説明する。なお、ＤＣプラグに代えてＵＳＢ（Universal Serial Bus）を用いる場合は、ＵＳＢ−ＩＦ（ＵＳＢ Implementers Forum, Inc.）の規格であるＵＳＢ  ＢＣ（USB Battery Charging Specification）に準拠したＵＳＢ等が挙げられる。
【００１６】
ＡＣアダプタ本体２０は、筐体内に回路２０Ａを有する。回路２０Ａは、電力変換部としての電力変換回路（図示せず）を含む。回路２０Ａは、回路２０Ａに入力された入力電圧に電力変換回路による電力変換を施して供給電圧を出力する。
【００１７】
入力部３０は、商用電源に接続されるコンセントプラグ等の接続プラグである。入力部３０は、商用電源に接続された際に、入力部３０から交流電流が入力される。
【００１８】
すなわち、ＡＣアダプタ１００は、入力部３０から交流の商用電源が入力され、ＡＣアダプタ本体２０の回路２０Ａによって直流電力への変換及び電圧の変換を行って得られる供給電力を負荷装置に接続されたＤＣプラグ１０から出力する。
【００１９】
図２及び図３を参照しつつ、本実施例のＤＣプラグ１０の構成について説明する。図２は、ＤＣプラグ１０の上面図である。図２に示すように、ＤＣプラグ１０は、円筒状のプラグ本体１１と、プラグ本体１１の内側に設けられた円筒状の端子部（電極部）１３を有している。電極部１３は、主端子としてのマイナス端子１４、円筒状の端子担持部１５及び主端子としてのプラス端子１６を含む。マイナス端子１４は、端子担持部１５の外側に設けられている。プラス端子１６は、端子担持部１５の内側に設けられている。なお、プラス端子１６の内側は空洞となっている。
【００２０】
図３は、図２のＤＣプラグ１０をＸ−Ｘ線で切断した断面図である。図３に示すように、電極部１３は、円筒形のプラグ本体１１の内側に嵌め込まれている。上述したように、マイナス端子１４は、円筒形状の端子担持部１５の外側に設けられた電極である。マイナス端子１４は、ＡＣアダプタ１００において変換された電力を負荷装置に供給する際のマイナス電極として機能する。
【００２１】
端子１４Ａは、マイナス端子１４と端子担持部１５の間に挟持されている。配線１４Ｂは、端子１４Ａに接続された配線である。また、配線１４Ｂは、ＡＣアダプタ本体２０の回路２０Ａ（図示せず）に接続されている。
【００２２】
端子担持部１５は、中空の円筒形の絶縁材料からなり、円筒形の外側の表面にマイナス端子１４を担持し、円筒形の内側の表面にプラス端子１６を担持している。端子担持部１５は、マイナス端子１４とプラス端子１６との間を電気的に分離している。
【００２３】
プラス端子１６は、端子担持部１５の内側に設けられた電極である。プラス端子１６は、ＡＣアダプタ１００において変換された電力を負荷装置に供給する際のプラス電極として機能する。
【００２４】
端子１６Ａは、プラス端子１６と端子担持部１５の間に挟持されている。配線１６Ｂは、端子１６Ａに接続された配線である。配線１６Ｂは、ＡＣアダプタ本体２０の回路２０Ａ（図示せず）に接続されている。
【００２５】
補助端子１７は、主端子のうちの１の端子としてのプラス端子１６が有する円筒形の内面の一部分に、プラス端子１６と隣り合って設けられた電極片である。図３に示すように、プラス端子１６は、１６Ｃの領域がプラグ本体１１側から切欠かれている。補助端子１７は、端子担持部１５の内側の表面の、当該プラス端子１６が切り欠かれた１６Ｃの領域内に、プラス端子１６から離間して設けられている。プラス端子１６と補助端子１７との間には、端子担持部１５が露出している。
【００２６】
従って、補助端子１７は、プラス端子１６から電気的に分離されている。すなわち、プラグコネクタとしてのＤＣプラグ１０は、正負一対の主端子及び主端子のうちの１の端子であるプラス端子１６と隣り合って設けられてプラス端子１６から電気的に分離された補助端子１７を有している。
【００２７】
なお、プラス端子１６と補助端子１７との間の、端子担持部１５が露出している部分には、例えば絶縁体が設けられてもよい。プラス端子１６と補助端子１７とは、絶縁体によって電気的に分離されていてもよい。
【００２８】
端子１７Ａは、補助端子１７と端子担持部１５の間に挟持されている。配線１７Ｂは、端子１７Ａに接続された配線である。配線１７Ｂは、ＡＣアダプタ本体２０の回路２０Ａ（図示せず）に接続されている。
【００２９】
例えば、ＤＣプラグ１０が、ＪＥＩＴＡ規格ＲＣ−５３２０準拠のＤＣジャックに接続される際に、プラス端子１６の中空の部分には、当該ＤＣジャックの中心電極が挿入される。なお、プラス端子１６の中空の部分とプラグ本体１１との間には、例えば、絶縁体からなる仕切り（図示せず）が設けられていてもよい。
【００３０】
図４は、ＡＣアダプタ本体２０の内部構成を示すブロック図である。整流・平滑回路２１は、入力部３０に接続されている。整流・平滑回路２１は、例えばブリッジダイオード及びコンデンサを含み、入力部３０から入力される交流電源の交流電流をブリッジダイオードによって整流し、コンデンサによって平滑化して直流電流として出力する。
【００３１】
電力変換回路２３は、整流・平滑回路２１に接続されている。電力変換回路２３は、スイッチング素子を含み、整流・平滑回路２１が出力する直流電流をスイッチング素子で断続制御（スイッチング）することで電力調整を行い（電圧降下させ）、交流電流として出力する。
【００３２】
整流・平滑回路２５は、電力変換回路２３に接続されている。整流・平滑回路２５は、例えばブリッジダイオード及びコンデンサを含み、電力変換回路２３が出力する交流電流をブリッジダイオードによって整流し、コンデンサによって平滑化して直流電流として出力する。
【００３３】
また、整流・平滑回路２５は、配線Ｌ１（１６Ｂ）及び配線Ｌ２（１４Ｂ）に接続されている。配線Ｌ１は、ＤＣプラグ１０のプラス端子１６に接続されている。配線Ｌ２は、ＤＣプラグ１０のマイナス端子１４に接続されている。整流・平滑回路２５は、電力変換回路２３が出力する交流電流を整流・平滑してＤＣプラグ１０から出力する。
【００３４】
制御部２６は、電力変換回路２３に接続された回路である。また、制御部２６は、配線Ｌ３（１７Ｂ）を介してＤＣプラグ１０に接続されている。配線Ｌ３は、ＤＣプラグ１０の補助端子１７に接続されている。
【００３５】
制御部２６は、補助端子１７の接続状態に応じて、電力変換回路２３に動作指令としての制御信号を送出し、電力変換部としての電力変換回路２３の動作を制御する。より詳細には、制御部２６は、補助端子１７を介して、ＤＣプラグ１０に負荷装置のＤＣジャックが接続されているか否かを検出し、ＤＣジャックが接続されているか否かに応じて、電力変換回路２３を動作制御又は停止する。
【００３６】
例えば、制御部２６は、プラス端子１６と補助端子１７とが同一電位となっているか否かを検出し、プラス端子１６と補助端子１７とが同一電位にある場合に、ＤＣジャックが接続されていることを検出して動作指令としての制御信号を送出する。
【００３７】
制御部２６は、制御回路２７、停止回路２８、解除回路２９及び電圧検出回路３１を含む。
【００３８】
解除回路２９は、ＤＣプラグ１０の補助端子１７に接続されている。解除回路２９は、補助端子１７を介して、ＤＣプラグ１０に負荷装置のＤＣジャックが接続されているか否かを検出する。解除回路２９は、ＤＣジャックが接続されているか否かに応じて、解除信号を送出する。
【００３９】
また、解除回路２９は、停止回路２８に接続されている。解除回路２９は、ＤＣプラグ１０にＤＣジャックが接続されている場合に、解除信号を停止回路２８に送出する。解除回路２９は、ＤＣプラグ１０にＤＣジャックが接続されていない場合には、停止回路２８への解除信号の送出を停止する。
【００４０】
停止回路２８は、制御回路２７に接続されている。停止回路２８は、解除回路２９から送出される解除信号に応じて、停止信号を制御回路２７に送出する。
【００４１】
具体的には、停止回路２８は、解除信号を受信していない場合に停止信号を制御回路２７に送出する。停止回路２８は、解除信号を受信している場合に、制御回路２７への停止信号の送出を停止する。
【００４２】
制御回路２７は、電力変換回路２３に接続されている。制御回路２７は、停止回路２８からの停止信号に応じて、制御信号を電力変換回路２３に送出する。具体的には、制御回路２７は、停止信号を受信している場合には、電力変換回路２３への制御信号の送出を停止し、電力変換回路２３の動作を停止させる。
【００４３】
制御回路２７は、停止信号を受信していない場合には、電力変換回路２３に制御信号を送出して、電力変換回路２３の動作を制御する。例えば、制御回路２７は、停止信号を受信していない場合に、電力変換回路２３のスイッチング素子の動作をオンオフ制御する。
【００４４】
モニタ部としての電圧検出回路３１は、配線Ｌ３を介してＤＣプラグ１０の補助端子１７に接続されている。電圧検出回路３１は、ＤＣプラグ１０にＤＣジャックが接続されて電力変換回路２３が動作制御されている際に、配線Ｌ３の電圧を検出する。すなわち、制御部２６は、補助端子１７を介してＤＣプラグ１０から出力される供給電圧を検出して監視することができる。
【００４５】
また、電圧検出回路３１は、制御回路２７に接続されている。電圧検出回路３１は、供給電圧の検出結果を示す検出信号を制御回路２７に送出する。
【００４６】
例えば、制御部２６の制御回路２７は、電圧検出回路３１からの監視結果としての検出信号に応じて、供給電圧を電力変換回路２３に調整させるための調整指令としての調整信号を電力変換回路２３に送出して供給電圧を調整する。これによって、供給電圧のフィードバック制御が可能となり、より安定した電圧で供給電圧を出力することができる。
【００４７】
また、本実施例によれば、補助端子１７によって当該供給電圧を検出することで、例えばＡＣアダプタ本体２０内で電力変換後の供給電圧を検出する場合と比較して、負荷装置に実際に供給される電圧をより正確に検出することができる。例えば、ＡＣアダプタ本体２０からＤＣプラグ１０までの配線Ｌ３を経ることによる電圧降下の影響を補うフィードバック制御が可能となり、供給電圧のフィードバック制御の精度向上が期待できる。
【００４８】
なお、整流・平滑回路２１からの出力によって、制御回路２７、停止回路２８、解除回路２９及び電圧検出回路３１の動作電源が与えられる。
【００４９】
なお、制御部２６は、電圧検出回路３１を有していなくともよい。
【００５０】
図５及び図６を参照しつつ、ＤＣプラグ１０へのＤＣジャック４０の接続について説明する。本実施例において、ＤＣジャック４０がＪＥＩＴＡ規格ＲＣ−５３２０準拠のＤＣジャックである場合について説明する。
【００５１】
図５は、ＤＣプラグ１０にＤＣジャックが接続されていない場合のＤＣプラグ１０及びＤＣジャックの断面図である。図５において、プラス端子４１は、ＤＣジャック４０に設けられた金属製の中心電極を示している。中心電極４１は、ＤＣプラグ１０のプラス端子１６及び補助端子１７によって形成された中空の円筒形状の内側面に嵌合可能な形状で構成されている。
【００５２】
図５中、マイナス端子４２は、ＤＣジャック４０のマイナス端子を示している。マイナス端子４２は、ＤＣプラグ１０のマイナス端子１４の外側面に嵌合可能な形状で設けられている。
【００５３】
図５の状態において、上述したように、ＤＣプラグ１０の補助端子１７は、プラス端子１６から離間して設けられており、プラス端子１６から電気的に分離されている。換言すれば、プラス端子１６と補助端子１７とは、開放状態となっている。この場合、プラス端子１６と補助端子１７とは、異なる電位状態にある。
【００５４】
図６は、ＤＣプラグ１０にＤＣジャック４０が接続されている場合のＤＣプラグ１０及びＤＣジャック４０の断面図である。図６に示すように、ＤＣジャック４０の中心電極４１は、ＤＣプラグ１０のプラス端子１６及び補助端子１７の内側に収容されて嵌合している。また、ＤＣジャック４０のマイナス端子４２は、ＤＣプラグ１０のマイナス端子１４の外側に嵌合している。
【００５５】
図６の状態において、ＤＣプラグ１０のプラス端子１６とＤＣジャック４０のプラス端子４１とが接触し、ＤＣプラグ１０のマイナス端子１４とＤＣジャック４０のマイナス端子４２とが接触している。これによって、ＡＣアダプタ本体２０を経由した電力が、ＤＣプラグ１０によって中継されて負荷装置側に出力される。
【００５６】
また、図６の状態において、ＤＣプラグ１０の１の端子としてのプラス端子１６及び補助端子１７は、いずれもＤＣジャック４０のプラス端子４１（すなわち、対向コネクタが有する端子）に接触している。従って、ＤＣプラグ１０のプラス端子１６と補助端子１７とは短絡されている。この場合、補助端子１７は、プラス端子１６と同一電位にある。
【００５７】
ＡＣアダプタ本体２０の解除回路２９（図４参照）は、図６に示すように、ＤＣプラグ１０にＤＣジャック４０が接続されている場合に、補助端子１７がプラス端子１６と同一電位にあることを検出して解除信号を送出する。
【００５８】
停止回路２８（図４参照）は、解除信号を受信すると、停止信号の送出を停止する。制御回路２７（図４参照）は、停止信号の送出が停止されると、電力変換回路２３（図４参照）に制御信号を送出して、スイッチング素子の動作を制御する。これによって、整流・平滑回路２１から出力された直流電圧が、電力変換回路２３によって電力調整され、整流・平滑回路２５を経由してＤＣプラグ１０から出力される。
【００５９】
ＡＣアダプタ本体２０の解除回路２９は、図５に示すように、ＤＣプラグ１０にＤＣジャック４０が接続されていない場合に、補助端子１７がプラス端子１６と異なる電位状態にあることを検出して解除信号の送出を停止する。
【００６０】
停止回路２８は、解除信号を受信しない場合、停止信号を送出する。制御回路２７は、停止信号を受信すると、電力変換回路２３に制御信号を送出せず、スイッチング素子の動作の制御を行わない。これによって、整流・平滑回路２１から出力された直流電圧は、電力変換回路２３から出力されない。
【００６１】
図７は、本実施例の回路２０Ａ（図４参照）における解除回路２９の回路構成の一例を示す回路図である。解除回路２９は、電源電圧Ｖｃｃを供給する電源（図示せず）に接続されたノードＡと接地電位に接続されたノードＢとの間に互いに直列に接続された抵抗Ｒ１及び抵抗Ｒ２を有している。また、解除回路２９は、ノードＡとノードＢとの間で抵抗Ｒ１及び抵抗Ｒ２と並列に接続された抵抗Ｒ３を有している。
【００６２】
解除回路２９は、抵抗Ｒ１とノードＢとの間に配されたトランジスタＱ１を有している。トランジスタＱ１は、例えば、コレクタが抵抗Ｒ１に接続され、エミッタがノードＢに接続され、ベースが抵抗Ｒ１とＲ２との間に接続されたＮＰＮバイポーラトランジスタである。
【００６３】
解除回路２９は、抵抗Ｒ３とトランジスタＱ１との間のノードＣで停止回路２８に接続されている。また、解除回路２９は、抵抗Ｒ１と抵抗Ｒ２との間のノードＤでＤＣプラグ１０の補助端子１７に接続されている。
【００６４】
上述したように、ＤＣプラグ１０にＤＣジャック４０が接続されていない場合（図５参照）、ＤＣプラグ１０の補助端子１７は開放状態である。このため、抵抗Ｒ１を介してトランジスタＱ１のベースに電流が供給され、トランジスタＱ１はオン状態となっている。この場合、ノードＣは低電位となっている。このように、ノードＣが低電位となっている状態を、停止回路２８への解除信号の送出が停止されている状態とすることができる。
【００６５】
また、上述したように、ＤＣプラグ１０にＤＣジャック４０が接続されている場合（図６参照）、補助端子１７はプラス端子１６と短絡されて同一電位にある。また、ＤＣプラグ１０にＤＣジャック４０が接続されている場合、プラス端子１６は、ＤＣジャック４０に接続された負荷装置内の回路を介して、回路２０Ａの接地電圧ＧＮＤ（図４参照）に接続されている。つまり、プラス端子１６及び補助端子１７は、接地電位となっている。
【００６６】
従って、ノードＤは接地電位となっており、トランジスタＱ１のベースに電流が供給されず、トランジスタＱ１はオフ状態となっている。その結果、抵抗Ｒ３から接地電位ＧＮＤ側に電流が流れないため、ノードＣは高電位となっている。このように、ノードＣが高電位となっている状態を、停止回路２８に解除信号が送出されている状態とすることができる。
【００６７】
解除回路２９の回路構成は、図７に示した構成に限られず、オペアンプを含む構成等の他の構成を採用してもよい。
【００６８】
以上、説明したように、本実施例の電力変換回路２３を含むＡＣアダプタ１００において、ＤＣプラグに負荷装置が接続されていない場合には、電力変換回路２３の動作を停止することができる。これによって、負荷装置が接続されていない間、すなわち待機時の消費電力を低減することができる。特に、待機時における、電力変換回路２３内のスイッチング素子が動作することによる消費電力を削減することができる。
【００６９】
また、本実施例のＡＣアダプタ１００において、ＡＣアダプタ１００が負荷装置に接続されているか否かを、ＤＣプラグ１０に設けられた補助端子１７を介して検出することができる。
【００７０】
例えば、従来例において、ＡＣアダプタが負荷装置に接続されているか否かを検出するために、例えば電圧を検出するための抵抗等を含む専用回路を、負荷装置側に設ける場合がある。このような場合、当該ＡＣアダプタを使用できるのは、当該専用回路を備えた負荷装置に限定される。
【００７１】
本実施例のＡＣアダプタ１００は、ＤＣプラグ１０に設けられた補助端子１７を介して検出することができるため、上記したような専用回路を負荷装置側に設ける必要がない。従って、ＡＣアダプタ１００は、ＤＣプラグ１０と差し込み接続が可能な機器であれば、負荷装置を限定することなく適用可能である。例えば、共通の規格に準拠したコネクタ同士であれば、多種の機器に同じＡＣアダプタ１００を使用することができる。
【００７２】
従って、本実施例のＡＣアダプタ１００によれば、汎用性がありかつ待機時の消費電力の低減が可能である電力変換供給コネクタ装置及び電力変換装置を提供することが可能である。
【００７３】
なお、補助端子１７の構造は、上記の実施例に示した場合に限られない。例えば、補助端子１７は、マイナス端子１４と隣り合って設けられてもよい。また、例えば、ＤＣプラグ１０を他の規格のＤＣプラグとした場合に、端子担持部１５の外側面に設けられたプラス端子と隣り合って設けられていてもよい。すなわち、補助端子１７は、端子担持部１５の内側面又は外側面に設けられた端子のうち、いずれかの端子と同一平面内に設けられていれば良い。
【００７４】
また、補助端子１７の形状及び大きさは、上記の実施例に示した場合に限られない。例えば、補助端子１７はプラス端子１６と同等の大きさでもよく、プラス端子１６よりも大きくともよい。
【００７５】
また、上記の実施例に示したように、補助端子１７か又はプラス端子１６の一方を、前記差し込み接続における差し込み方向の電極部１３の先端から遠い位置に設けることで、ＤＣプラグ１０とＤＣジャック４０との接続が不完全な状態で供給電圧が供給されることを防止することができる。
【００７６】
換言すれば、補助端子１７か又はプラス端子１６のいずれか一方の端子の端部のうち、ＤＣプラグ１０のＤＣジャック４０に対向する先端部側の端部が、他方の端子の当該先端部側の端部からオフセットされて設けられていればよい。実施例においては、補助端子１７の当該先端部側の端部が、プラス端子１６の当該先端部側の端部からオフセットされて設けられている例について示した。
【００７７】
これによって、ＤＣプラグ１０とＤＣジャック４０との接続が不完全な状態で、ＤＣジャック４０の中心電極４１が補助端子１７に到達していない場合には、供給電圧が供給されることを防止することができる。
【００７８】
なお、制御部２６が制御回路２７、停止回路２８及び解除回路２９及び電圧検出回路３１を有する例について説明したが、これに限られない。制御部２６は、補助端子１７と、主端子としてのマイナス端子１４又はプラス端子１６のいずれか一方との短絡の有無に応じて、電力変換回路２３の動作を停止又は制御する構成を有していればよい。
【００７９】
上述した実施例における構成は例示に過ぎず、用途等に応じて適宜変更可能である。
【符号の説明】
【００８０】
１００  ＡＣアダプタ
１０  ＤＣプラグ
１１  プラグ本体
１３  電極部（端子部）
１４  マイナス端子
１５  端子担持部
１６  プラス端子
１７  補助端子１７
２０  ＡＣアダプタ本体
２１  整流・平滑回路
２３  電力変換回路
２５  整流・平滑回路
２６  制御部
２７  制御回路
２８  停止回路
２９  解除回路
３０  入力部
４０  ＤＣジャック
４１  中心電極
【図１】
2020137248.tif 000003
【図２】
2020137248.tif 000004
【図３】
2020137248.tif 000005
【図４】
2020137248.tif 000006
【図５】
2020137248.tif 000007
【図６】
2020137248.tif 000008
【図７】
2020137248.tif 000009